【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
第1のコンポーネントキャリア(CC)および第2のCCに関するキャリアアグリゲーション構成を受信するステップであって、前記第1のCCは時分割複信(TDD)CCであり、前記キャリアアグリゲーション構成は、ダウンリンク部分を含み、前記UEによるデータ送信のための前記第1のCCのアップリンク部分を除く、ステップと、
サブフレームにおいて前記第2のCC上でアップリンク送信を送信すること、または前記第2のCC上で前記サブフレームにおいてダウンリンク送信を受信することのうちの1つを決定するステップと、
前記第1のCCのアップリンク部分におけるサウンディング基準信号(SRS)送信が、前記アップリンク送信または前記ダウンリンク送信のうちの1つと、前記サブフレームにおいて少なくとも部分的に衝突することになると判断するステップと、
衝突の前記判断および前記第1のCCの前記アップリンク部分において前記SRSを送信するための中断時間に基づいて、前記アップリンク送信、前記SRS送信、または前記ダウンリンク送信の受信のうちの少なくとも1つを調整することを決定するステップであって、
調整することを前記決定することは、優先度付けルール、または前記アップリンク送信のパンクチャリングのうちの少なくとも1つを適用するかを決定することを含み、
前記中断時間は前記UEの能力と関連付けられる、ステップと、
調整することの前記決定に基づいて、前記第2のCC上で前記アップリンク送信を送信すること、前記第2のCC上で前記ダウンリンク送信を受信すること、または前記第1のCCの前記アップリンク部分において前記SRSを送信することのうちの少なくとも1つを実行するステップと
を含む方法。
【請求項２】
前記第1のCCの前記アップリンク部分における前記SRSの前記送信は、前記第2のCCから前記第1のCCへの切替えを含み、前記中断時間は、前記SRSを送信するための前記第2のCCから前記第1のCCへの前記切替えに基づく、請求項1に記載の方法。
【請求項３】
前記SRS送信が前記第2のCC上での前記アップリンク送信と少なくとも部分的に衝突することになるとき、かつ前記中断時間がしきい値を満たすときに、前記第2のCC上での前記アップリンク送信を前記サブフレームのアップリンクシンボルのサブセットまたはサブフレームのサブセットに短縮するステップ
をさらに含み、
前記中断時間が前記しきい値を満たすときに、前記SRS送信により前記第2のCC上での前記短縮されたアップリンク送信をパンクチャリングするステップ
をさらに含み、
前記アップリンク送信は、物理アップリンク共有チャネル(PUSCH)を含む、請求項1に記載の方法。
【請求項４】
前記アップリンク送信は、物理アップリンク共有チャネル(PUSCH)を含み、調整することを前記決定するステップは、前記第2のCCのPUSCHサブフレーム構成に少なくとも部分的に基づく、請求項1に記載の方法。
【請求項５】
前記SRSが前記第2のCC上での前記アップリンク送信と少なくとも部分的に衝突することになるときに、前記SRSを送信するために前記第1のCCに切り替えるのを控えるステップであって、前記実行するステップは、前記第2のCC上で前記アップリンク送信を送信するステップを含む、ステップ
をさらに含むか、または
前記第2のCC上で前記ダウンリンク送信の少なくとも一部分を受信するのを控えるステップであって、前記実行するステップは、前記第1のCCの前記アップリンク部分において前記SRSを送信するステップを含む、ステップ
をさらに含む、請求項1に記載の方法。
【請求項６】
調整することを前記決定するステップは、
少なくとも1つの優先度付けルールに基づいて、前記第1のCCの前記アップリンク部分において前記SRSを送信するか、それとも前記第2のCC上で前記アップリンク送信を送信するかを決定するステップであって、前記少なくとも1つの優先度付けルールは、前記SRS送信が周期的SRS送信であるか、それとも非周期的SRSであるか、前記第2のCCのチャネルタイプ、または前記第2のCCに関する情報のうちの少なくとも1つを考慮する、ステップ
を含む、請求項1に記載の方法。
【請求項７】
前記第1のCCから前記第2のCCへの切替えが帯域内であるときに、前記SRSを送信するために前記アップリンク送信をパンクチャリングするステップと、
前記第1のCCから前記第2のCCへの前記切替えが帯域間であるときに、前記SRSを送信するか、それとも前記アップリンク送信を送信するかを決定するために前記優先度付けルールを使用するステップと
をさらに含む、請求項1に記載の方法。
【請求項８】
発展型ノードB(eNB)に前記UEの能力を送信するステップと、
前記SRSの送信に関する命令を受信するステップと、
前記衝突の前記判断に基づいて前記アップリンク送信、前記SRS送信、または前記ダウンリンク送信の受信のうちの少なくとも1つを調整することを前記決定する際に、前記eNBから受信された前記命令を適用するステップと
をさらに含むか、または
前記UEが物理アップリンク制御チャネル(PUCCH)を送信すべきサブフレームを前記第2のCCのアップリンクサブフレームのサブセットに制限するための指示を受信するステップと、
前記指示に基づいて、PUCCH送信を前記第2のCCのアップリンクサブフレームの前記サブセットに制限するステップと
をさらに含む、請求項1に記載の方法。
【請求項９】
前記UEは、前記第1のCCの前記アップリンク部分における前記SRSの前記送信が前記第2のCC上での前記アップリンク送信と少なくとも部分的に衝突することになると判断し、前記方法は、
発展型ノードB(eNB)に前記UEの能力を送信するステップと、
前記SRSの前記送信が第3のCC上での第2のアップリンク送信と少なくとも部分的に衝突することになると判断するステップと、
前記eNBから受信された指示に基づいて、前記第1のCCの前記アップリンク部分において前記SRSを送信するために、前記第2のCC上での前記アップリンク送信から切り替えるか、それとも前記第3のCC上での前記第2のアップリンク送信から切り替えるかを決定するステップと
をさらに含む、請求項1に記載の方法。
【請求項１０】
前記UEがアップリンク通信のために構成されていない少なくとも1つのTDD CCのアップリンク部分において複数のSRSを送信することによって、複数のCC、前記第1のCCの複数のサブバンド、または前記第1のCCの同じサブバンドの繰り返しをサウンディングするステップをさらに含み、前記複数のSRSは、
前記複数のCC、
前記第1のCCにおける前記複数のサブバンド、または
SRS繰り返しを使用する前記第1のCCの同じサブバンド
のうちの少なくとも1つにおいて送信される、請求項1に記載の方法。
【請求項１１】
前記複数のSRSは、スタッガード送信として送信されるか、または
前記複数のSRSは、1つのシンボル内で送信される、請求項10に記載の方法。
【請求項１２】
ワイヤレス通信のための装置であって、
メモリと、
前記メモリに結合された少なくとも1つのプロセッサと
を備え、前記少なくとも1つのプロセッサは、
第1のコンポーネントキャリア(CC)および第2のCCに関するキャリアアグリゲーション構成を受信することであって、前記第1のCCは時分割複信(TDD)CCであり、前記キャリアアグリゲーション構成は、ダウンリンク部分を含み、UEによるデータ送信のための前記第1のCCのアップリンク部分を除く、受信することと、
サブフレームにおいて前記第2のCC上でアップリンク送信を送信すること、または前記第2のCC上で前記サブフレームにおいてダウンリンク送信を受信することのうちの1つを決定することと、
前記第1のCCのアップリンク部分におけるサウンディング基準信号(SRS)送信が、前記アップリンク送信または前記ダウンリンク送信のうちの1つと、前記サブフレームにおいて少なくとも部分的に衝突することになると判断することと、
衝突の前記判断および前記第1のCCの前記アップリンク部分において前記SRSを送信するための中断時間に基づいて、前記アップリンク送信、前記SRS送信、または前記ダウンリンク送信の受信のうちの少なくとも1つを調整することを決定することとであって、
調整することを前記決定することは、優先度付けルール、または前記アップリンク送信のパンクチャリングのうちの少なくとも1つを適用するかを決定することを含み、
前記中断時間は前記UEの能力と関連付けられる、決定することと、
調整することの前記決定に基づいて、前記第2のCC上で前記アップリンク送信を送信すること、前記第2のCC上で前記ダウンリンク送信を受信すること、または前記第1のCCの前記アップリンク部分において前記SRSを送信することのうちの少なくとも1つを実行することと
を行うように構成される、装置。
【請求項１３】
前記少なくとも1つのプロセッサは、
前記SRS送信が前記第2のCC上での前記アップリンク送信と少なくとも部分的に衝突することになるとき、かつ前記中断時間がしきい値を満たすときに、前記第2のCC上での前記アップリンク送信を前記サブフレームのアップリンクシンボルのサブセットまたはサブフレームのサブセットに短縮し、前記SRS送信により前記第2のCC上での短縮されたアップリンク送信をパンクチャリングする
ようにさらに構成される、請求項12に記載の装置。
【請求項１４】
前記第1のCCの前記アップリンク部分における前記SRSの前記送信が前記第2のCC上での前記アップリンク送信と少なくとも部分的に衝突することになると前記装置が判断したときに、前記少なくとも1つのプロセッサは、
発展型ノードB(eNB)に前記UEの能力を送信することと、
前記SRSの前記送信が第3のCC上での第2のアップリンク送信と少なくとも部分的に衝突することになると判断することと、
前記eNBから受信された指示に基づいて、前記第1のCCの前記アップリンク部分において前記SRSを送信するために、前記第2のCC上での前記アップリンク送信から切り替えるか、それとも前記第3のCC上での前記第2のアップリンク送信から切り替えるかを決定することと
を行うようにさらに構成される、請求項12に記載の装置。
【請求項１５】
ユーザ機器のプロセッサに請求項1乃至11のいずれか1項に記載の方法を実行させるための命令を含むコンピュータプログラム。